(57)【要約】【課題】ディスプレイのメンテナンスを容易に実行することができると共に、その設置作業を少人数において容易に行うことができるディスプレイの支持装置を提供すること。【解決手段】壁面もしくは柱７などを含む鉛直の構造体に対して取り付けられる第１フレーム１と、ディスプレイ８の背面において、前記ディスプレイを支持する第２フレーム２と、第１フレームの鉛直方向における上下２点において、それぞれの一端部が回動可能に軸支されると共に、第２フレームの鉛直方向における上下２点において、それぞれの他端部が回動可能に軸支された上下一対のリンクアーム３ａ，３ｂと、油圧により伸縮駆動し、その縮小動作により各リンクアームを介して、第１フレーム側に向かって第２フレームを上昇させると共に、その伸長動作により各リンクアームを介して、第１フレームからその前方に向かって第２フレームを降下させる油圧シリンダー４とが具備される。【選択図】図４
2009014047.tif 000002
【特許請求の範囲】
【請求項１】
壁面もしくは柱などを含む鉛直の構造体に対して取り付けられる第１フレームと、
ディスプレイの背面において、前記ディスプレイを支持する第２フレームと、
前記第１フレームの鉛直方向における上下２点において、それぞれの一端部が回動可能に軸支されると共に、前記第２フレームの鉛直方向における上下２点において、それぞれの他端部が回動可能に軸支された上下一対のリンクアームと、
流体圧により伸縮駆動し、その縮小動作により前記各リンクアームを介して、前記第１フレーム側に向かって第２フレームを上昇させると共に、その伸長動作により前記各リンクアームを介して、前記第１フレームからその前方に向かって第２フレームを降下させる流体圧駆動手段とが具備されていることを特徴とするディスプレイの支持装置。
【請求項２】
前記上下一対のリンクアームが、前記第１フレームと第２フレームの一方の側面部の間においてそれぞれ軸支されると共に、他の上下一対のリンクアームが、前記第１フレームと第２フレームの他方の側面部の間においてそれぞれ軸支されていることを特徴とする請求項１に記載されたディスプレイの支持装置。
【請求項３】
前記流体圧駆動手段の一端が前記第１フレームに軸支されると共に、その他端が第１フレームの軸支点から離れた前記いずれかのリンクアームにおける回動自由端側に軸支されていることを特徴とする請求項１または請求項２に記載されたディスプレイの支持装置。
【請求項４】
前記流体圧駆動手段が油圧により伸縮動作がなされる油圧シリンダーであることを特徴とする請求項１ないし請求項３のいずれか１項に記載されたディスプレイの支持装置。
【発明の詳細な説明】
【技術分野】
【０００１】
この発明は、例えば大画面の薄型テレビジョンディスプレイを壁面もしくは柱などを含む鉛直の構造体に対して取り付けるためのディスプレイの支持装置に関する。
【背景技術】
【０００２】
例えばテレビジョン受像機等のディスプレイにおいては、液晶ディスプレイもしくはプラズマディスプレイなどに代表されるように薄型構造のディスプレイが普及しており、これらは一般的に専用スタンドを利用して床面上に設置されるか、またはラック（載置台）上に設置するようになされる。
【０００３】
また、前記したディスプレイにおいては、薄型構造の特質を生かして室内の壁面に直接取り付けるなどの設置手段も採用されている。例えば特許文献１には、ディスプレイの背面キャビネットにおける適宜の位置に複数の取り付け用の孔を穿設し、壁面に予め埋め込んだ取り付けボルトの頭部を、前記取り付け孔の開口部に形成された鍔部で係止することでディスプレイを壁面に取り付ける構成が示されている。
【特許文献１】特開平５−１１７０７号公報
【０００４】
一方、前記した薄型ディスプレイを壁面等に沿って取り付ける他の手段として、特許文献２には、壁際に沿って２本のパイプ状部材を互いに平行となるように鉛直方向に立設し、このパイプ状部材にそれぞれネジ止めされるＬ字状の取り付け金具を介してディスプレイの裏面が取り付けられるようにした構成ものが示されている。
【特許文献２】特開平１０−２９２８９８号公報
【発明の開示】
【発明が解決しようとする課題】
【０００５】
ところで、昨今におけるこの種のディスプレイにおいては、業務用等において益々大画面化の要求が高まり、画面サイズが１００インチを超えるようなプラズマディスプレイも提供されている。このようなプラズマディスプレイにおいては、その重量は１００Ｋｇを超える程になり、前記した特許文献１および２に示すようなディスプレイの取り付け手段においては、壁面等の所定の高さ位置に、少人数によりこれを取り付けることは非常な困難を伴う。
【０００６】
また、前記したプラズマディスプレイにおいては、メンテナンス時などにおいて、ディスプレイの裏面を開ける必要があり、壁面とディスプレイの裏面との間に人が入り込める程度のスペースを確保することが必要となる。したがって、ディスプレイを支持する支持装置は、ディスプレイのメンテナンス時における前記した要求にも応えることができるように構成にされていることが望ましい。
【０００７】
この発明は、前記したように大型かつ重量が嵩むディスプレイを、少人数において容易に柱などを含む壁面に対して取り付けることが可能であり、またメンテナンス時などにおいて、前記取り付け位置とディスプレイの裏面との間に所定のスペースを確保することが可能なディスプレイの支持装置を提供することを課題とするものである。
【課題を解決するための手段】
【０００８】
前記した課題を解決するためになされたこの発明にかかるディスプレイの支持装置は、壁面もしくは柱などを含む鉛直の構造体に対して取り付けられる第１フレームと、ディスプレイの背面において、前記ディスプレイを支持する第２フレームと、前記第１フレームの鉛直方向における上下２点において、それぞれの一端部が回動可能に軸支されると共に、前記第２フレームの鉛直方向における上下２点において、それぞれの他端部が回動可能に軸支された上下一対のリンクアームと、流体圧により伸縮駆動し、その縮小動作により前記各リンクアームを介して、前記第１フレーム側に向かって第２フレームを上昇させると共に、その伸長動作により前記各リンクアームを介して、前記第１フレームからその前方に向かって第２フレームを降下させる流体圧駆動手段とが具備されている点に特徴を有する。
【０００９】
この場合、前記上下一対のリンクアームが、前記第１フレームと第２フレームの一方の側面部の間においてそれぞれ軸支されると共に、他の上下一対のリンクアームが、前記第１フレームと第２フレームの他方の側面部の間においてそれぞれ軸支された構成にされていることが望ましい。
【００１０】
そして、好ましい実施の形態においては、前記流体圧駆動手段の一端が前記第１フレームに軸支されると共に、その他端が第１フレームの軸支点から離れた前記いずれかのリンクアームにおける回動自由端側に軸支された構成にされる。そして、この発明にかかる支持装置においては望ましくは、前記流体圧駆動手段として、油圧により伸縮動作がなされる油圧シリンダーが用いられる。
【発明の効果】
【００１１】
前記した構成によるディスプレイの支持装置によると、流体圧駆動手段としての前記油圧シリンダーを駆動して伸長動作させた場合、前記リンクアームを介して鉛直の構造体に取り付けられた第１フレームの前方に向かって、ディスプレイの背面を支持する第２フレームを降下させることができる。これにより、鉛直の構造体とディスプレイとの間に所定の間隔を持たせることができ、ディスプレイのメンテナンス等を容易に行うことが可能となる。
【００１２】
また、ディスプレイのメンテナンス等の終了後においては、前記油圧シリンダーを縮小駆動させることにより、前記各リンクアームを介して、前記第１フレーム側に向かってディスプレイを支持する第２フレームを上昇させることができ、これにより、ディスプレイを鉛直の構造体に沿った所定の位置に設置することができる。
【００１３】
さらに前記した構成によるディスプレイの支持装置によると、前記油圧シリンダーを縮小させて第１と第２フレームを接近させた状態とし、この状態で第２フレームにディスプレイの背面を取り付け、前記油圧シリンダーを伸長駆動させることで第１フレームをほぼ垂直の姿勢を保ったまま上昇させることができる。
【００１４】
したがって、第２フレームにディスプレイの背面を取り付けた状態でキャスター等の運搬手段に搭載し、前記したように油圧シリンダーを伸長駆動させることで第１フレームを鉛直の構造体の所定の位置に容易に対峙させることができる。これにより、支持装置およびディスプレイの設置作業を少人数により容易に行うことができる。
【発明を実施するための最良の形態】
【００１５】
以下、この発明にかかるディスプレイの支持装置について、図に示す実施の形態に基づいて説明する。図１は支持装置の基本構成を展開状態（第１フレームに対して第２フレームが降下した状態）で示し、図２は支持装置が閉じた状態（第１フレームに向かって第２フレームが上昇接近した状態）で示している。なお、図１および図２においては図の縮尺は異なっているが、同一部分は同一符号で示している。
【００１６】
図１および図２において、符号１は第１フレームを示しており、これは後述する図４に基づいて説明するとおり、壁面もしくは柱などを含む鉛直の構造体に対して取り付けられる。この第１フレーム１には、角型パイプによる右支柱体１ａと、同じく角型パイプによる左支柱体１ｂとが備えられ、チャンネル金具による上部連結部材１ｃと、角型パイプによる中央部連結部材１ｄとにより、前記各支柱体１ａ，１ｂが平行状態となるように連結され、全体として偏平状に形成されている。
【００１７】
なお、図に示す実施の形態においては、前記した上部連結部材１ｃと、中央部連結部材１ｄとの間に基板１ｅ，１ｆが取り付けられており、この基板１ｅ，１ｆ上には必要に応じて後述する油圧シリンダーを伸縮駆動する油圧ポンプや同ポンプの電源装置等が配設される。
【００１８】
一方、符号２は第２フレームを示しており、これは後述する図４に基づいて説明するとおり、ディスプレイの背面において、前記ディスプレイを支持するように取り付けられる。この第２フレーム２には、角型パイプによる右支柱体２ａと、同じく角型パイプによる左支柱体３ｂとが備えられ、チャンネル金具による上部連結部材２ｃと、同じくチャンネル金具による中央部連結部材２ｄとにより、前記各支柱体２ａ，２ｂが平行状態となるように連結され、全体として偏平状に形成されている。
【００１９】
前記第１フレーム１を構成する右支柱体１ａの下端部付近における上下２点において、上リンクアーム３ａと下リンクアーム３ｂの各一端が回動可能に軸支されており、上下一対のリンクアーム３ａ，３ｂの各他端部は、前記第２フレーム２を構成する右支柱体２ａにおける上端部付近の上下２点において、それぞれ回動可能に軸支されている。
【００２０】
さらに、前記第１フレーム１を構成する左支柱体１ｂの下端部付近における上下２点において、他の一対のリンクアームを構成する上リンクアーム３ｃと下リンクアーム３ｄの各一端が回動可能に軸支されており、前記上下一対のリンクアーム３ｃ，３ｄの各他端部は、前記第２フレーム２を構成する左支柱体２ｂにおける上端部付近の上下２点において、それぞれ回動可能に軸支されている。
【００２１】
これにより、上下一対のリンクアームが、前記第１フレームと第２フレームの一方の側面部の間においてそれぞれ軸支されると共に、他の上下一対のリンクアームが、前記第１フレームと第２フレームの他方の側面部の間においてそれぞれ軸支された構成にされている。なお、図に示す実施の形態においては、第１フレーム１および第２フレーム２を構成する右支柱体１ａ，２ａ間にかけ渡された一対のリンクアーム３ａ，３ｂの上下２点の取り付け間隔は、左支柱体１ｂ，２ｂ間にかけ渡された一対のリンクアーム３ｃ，３ｄの上下２点の取り付け間隔よりも大きな間隔に設定されている。
【００２２】
一方、前記第１フレーム１を構成する右支柱体１ａの上端部には、流体圧駆動手段としての油圧シリンダー４の一端部が軸支されている。また油圧シリンダー４の他端部は、前記した下リンクアーム３ｂにおける右支柱体１ａの軸支点から離れた回動自由端側に軸支されている。すなわち、図に示す実施の形態においては、油圧シリンダー４の他端部は、下リンクアーム３ｂのほぼ中央部もしくは中央部よりも若干第１フレーム１に近い位置において軸支されている。
【００２３】
したがって、前記油圧シリンダー４を伸長させるように駆動した場合には、支持装置は図１に示すように、第１フレーム１に対して第２フレーム２が降下した展開状態にすることができる。また、前記油圧シリンダー４を縮小させるように駆動した場合には、支持装置は図２に示すように、第１フレームに向かって第２フレームが上昇接近し、閉じた状態にすることができる。
【００２４】
図３は、前記した支持装置が閉じた状態、すなわち図２に示した状態において、その上下左右をカバー部材５で覆った状態を示している。なお、図３においては、図１および図２に基づいて説明した各部の代表的な部分についてそれぞれ同一符号で示している。前記カバー部材５は支持装置を例えば壁面等に実装した状態において、各フレーム１，２や、リンクアーム３ａ〜３ｄ等を覆い、体裁を整えるために用いるものであり、このカバー部材５はこの発明にかかる支持装置において必須のものではない。
【００２５】
なお、前記したカバー部材５は、前記支持装置において支持するディスプレイの裏面から発する熱を効果的に放熱させるために、全体に小孔を施したパンチングメタル、もしくは多数のスリットを施してこれらを編目状に引き伸ばした形態のエキスパンドメタル等を用いることが望ましい。
【００２６】
図４は前記した構成の支持装置を用いて、ディスプレイを壁面等に装着する例を、側面から視た状態で示したものであり、図４においては第１フレーム１に対して第２フレーム２が降下した展開状態（図１に相当する状態）で示している。なお図４においては、既に説明した各部に相当するする部分を同一符号で示している。
【００２７】
前記した支持装置を用いて、壁面等にディスプレイ８を装着するには、壁面内に必要に応じて補強用の柱７が設置される。したがって、図４に示す例においては、前記柱７の左側面が壁面であるということができる。
【００２８】
前記した補強用の柱７には、図５に示すように第１フレーム１の背面を取り付けるためのボルト１２が取り付けられる。一方、前記第１フレーム１を構成する右支柱体１ａおよび左支柱体１ｂの背面には、その長手方向に沿って適宜の位置に複数の取り付け孔が穿設されている。なお、図５においては右支柱体１ａの背面に穿設された取り付け孔を符号１１で示している。
【００２９】
前記取り付け孔１１は、前記したボルト１２の頭部が挿通される大径部と、ボルト１２の頭部が係止される小径部が連通して形成されている。したがって壁面等に予め取り付けられたボルト１２に対して第１フレームに形成された前記取り付け孔１１の大径部を一致させてボルト１２の頭部を相対的に挿通し、第１フレームの位置を若干降下させることで、ボルト１２の頭部に取り付け孔１１の小径部が係止し、この状態で第１フレーム１は前記柱７を含む壁面等に取り付けることができる。
【００３０】
一方、図６は第２フレーム２の前面にディスプレイ８の裏面を取り付ける例を示したものであり、第２フレーム２を構成する右支柱体２ａおよび左支柱体２ｂの前面には、図１〜図３に示されたようにその長手方向に沿って適宜の位置に複数の取り付け孔が穿設されている。なお、図６においては右支柱体２ａの前面に穿設された取り付け孔を符号１３で示している。また、第２フレーム２に支持される前記ディスプレイ８の背面には、前記取り付け孔１３に対応する位置にボルト１４が装着されている。
【００３１】
前記取り付け孔１３には、前記ディスプレイ８の背面に装着された前記したボルト１４の頭部が挿通される大径部と、ボルト１４の頭部が係止される小径部が連通して形成されている。したがって、ディスプレイ８の背面に予め装着されたボルト１４に対して第２フレーム２に形成された前記取り付け孔１３の大径部を一致させてボルト１４の頭部を相対的に挿通し、第２フレームの位置を若干上昇させることで、ボルト１２の頭部に取り付け孔１３の小径部が係止し、この状態で第２フレーム２の前面にディスプレイ８を装着させることができる。
【００３２】
図５および図６に示した構成により、前記支持装置およびディスプレイ８を壁面等に連結した状態で、前記したとおり支持装置に取り付けられた油圧シリンダー４を縮小させるように駆動した場合には、支持装置は図２に示すように、第１フレーム１に向かって第２フレーム２が上昇接近し、第２フレーム２の前面に取り付けられた前記ディスプレイ８を壁面等に沿って装着することができる。
【００３３】
この発明にかかる前記した構成の支持装置によると、油圧シリンダー４を伸縮駆動させることにより、図４に示すようにディスプレイ８を降下状態に、また壁面に沿った支持状態に設定することができる。そして、ディスプレイ８のメンテナンス等が必要な場合においては、発明の効果の欄に記載したとおり油圧シリンダー４を伸長駆動してディスプレイ８を降下させることで、図４に示すようにディスプレイ８の背面と壁面等との間に所定の間隔を持たせることができ、これによりディスプレイ８のメンテナンス等を容易に行うことができる。
【００３４】
また、同じく発明の効果の欄に記載したとおり、第２フレーム２にディスプレイ８の背面を取り付けた状態で図示せぬキャスター等の運搬手段に搭載し、油圧シリンダー４を伸長駆動させることで第１フレームを鉛直の構造体の所定の位置に容易に対峙させることができる。これにより、支持装置およびディスプレイの設置作業を少人数により容易に行うことができる。
【００３５】
なお、前記した実施の形態においては、一端が第１フレーム側に軸支された油圧シリンダー４の他端部は、下リンクアーム３ｂのほぼ中央部もしくは中央部よりも若干第１フレーム１に近い位置において軸支されているが、前記油圧シリンダー４の他端部は、第２フレーム２のいずれかの部分に軸支された構成にされていてもよい。
【００３６】
また、前記した油圧シリンダー４についても、油圧により伸縮駆動されるもの以外に、他の流体により伸縮動作する流体圧駆動手段を採用することもできる。
【００３７】
なお、流体圧駆動手段として前記のように油圧シリンダーを用い、この油圧シリンダーに対して油圧ポンプより油を注入および吸引させる構造とした場合においては、前記油圧ポンプを駆動するモータの正逆回転により、油圧シリンダー４を伸縮動作させることができる。この構成によると、油圧シリンダー側もしくは、油圧制御系統に切り換え弁等を備える必要もなくなるため、その構成を簡素化させることができる。
【００３８】
さらに、前記した実施の形態においては、プラズマディスプレイを支持する支持装置に基づいて説明したが、この発明にかかる支持装置は前記したプラズマディスプレイ以外に重量が嵩む標識、看板、もしくはネオンサインなどを含む電光表示体等の各種ディスプレイの支持にも好適に採用することができる。
【図面の簡単な説明】
【００３９】
【図１】この発明にかかる支持装置を展開した状態で示した斜視図である。
【図２】同じく閉じた状態で示した斜視図である。
【図３】図２に示す状態の支持装置にカバー部材を装着した状態を示す斜視図である。
【図４】前記支持装置を用いてディスプレイを壁面等に装着する様子を示した側面図である。
【図５】前記支持装置を壁面等に取り付ける一つの手段を説明する模式図である。
【図６】前記支持装置の前側のフレームにディスプレイを取り付ける一つの手段を説明する模式図である。
【符号の説明】
【００４０】
１            第１フレーム
１ａ，１ｂ    支柱体
１ｃ，１ｄ    連結部材
２            第２レーム
２ａ，２ｂ    支柱体
２ｃ，２ｄ    連結部材
３ａ〜３ｄ    リンクアーム
４            油圧シリンダー（体圧駆動手段）
５            カバー部材
７            柱（壁面）
８            ディスプレイ
１１，１３    取り付け孔
１２，１４    ボルト
【図１】
2009014047.tif 000003
【図２】
2009014047.tif 000004
【図３】
2009014047.tif 000005
【図４】
2009014047.tif 000006
【図５】
2009014047.tif 000007
【図６】
2009014047.tif 000008